【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
表示領域を有する端末の表示方法であって、
前記表示領域のうち、前記端末のユーザによって操作される領域である第１領域に情報を表示することと、
前記表示領域のうち、前記第１領域の少なくとも一部の領域を内部に含む第２領域に、前記端末のユーザに対して通知する通知情報を表示することと、
前記第１領域に表示された、前記端末のユーザによる前記情報に対する操作に基づいて、前記情報に対応する処理を前記端末の制御部によって実行することとを含む。
【請求項２】
請求項１に記載の表示方法であって、
前記情報と前記通知情報とは、表示態様を異ならせて表示される。
【請求項３】
請求項１または請求項２に記載の表示方法であって、
前記第２領域は、前記第１領域とは異なる表示態様で表示される。
【請求項４】
請求項１から請求項３のいずれか一項に記載の表示方法であって、
前記通知情報は、前記情報が表示された後、前記第２領域に表示される。
【請求項５】
請求項１から請求項４のいずれか一項に記載の表示方法であって、
前記通知情報は、前記第２領域のうち、前記第１領域とは異なる領域に表示される。
【請求項６】
請求項１から請求項４のいずれか一項に記載の表示方法であって、
前記通知情報は、前記第１領域に前記情報が表示された後、前記第１領域の少なくとも一部に重畳して前記第２領域に表示される。
【請求項７】
請求項６に記載の表示方法であって、
前記通知情報が表示された前記第２領域のうち、前記端末のユーザによる、前記第１領域に重畳する領域の選択に基づいて、前記情報に対応する処理を前記制御部によって実行することをさらに含む。
【請求項８】
請求項６または請求項７に記載の表示方法であって、
前記通知情報は、前記第２領域のうち、前記第１領域に重畳する領域に対しグラデーション処理される。
【請求項９】
請求項１から請求項８のいずれか一項に記載の表示方法であって、
前記情報が表示された前記第１領域を取得することと、
前記第１領域の取得に基づいて、前記第２領域に前記通知情報を表示することとをさらに含む。
【請求項１０】
請求項１から請求項９のいずれか一項に記載の表示方法であって、
前記通知情報が表示された前記第２領域に対する前記端末のユーザによる操作に基づいて、前記通知情報に関連するアプリケーションに関する表示をすることをさらに含む。
【請求項１１】
請求項１から請求項５のいずれか一項に記載の表示方法であって、
前記第２領域は、前記第１領域の周囲を囲むように前記制御部によって設定される。
【請求項１２】
表示領域を有する端末のコンピュータに実行させるプログラムであって、
前記表示領域のうち、前記端末のユーザによって操作される領域である第１領域に情報を表示することと、
前記表示領域のうち、前記第１領域の少なくとも一部の領域を内部に含む第２領域に、前記端末のユーザに対して通知する通知情報を表示することと、
前記第１領域に表示された、前記端末のユーザによる前記情報に対する操作に基づいて、前記情報に対応する処理を前記端末の制御部によって実行することとを含む。
【請求項１３】
請求項１２に記載のプログラムであって、
前記情報と前記通知情報とは、表示態様を異ならせて表示される。
【請求項１４】
請求項１２または請求項１３に記載のプログラムであって、
前記第２領域は、前記第１領域とは異なる表示態様で表示される。
【請求項１５】
請求項１２から請求項１４のいずれか一項に記載のプログラムであって、
前記通知情報は、前記情報が表示された後、前記第２領域に表示される。
【請求項１６】
請求項１２から請求項１５のいずれか一項に記載のプログラムであって、
前記通知情報は、前記第２領域のうち、前記第１領域とは異なる領域に表示される。
【請求項１７】
請求項１２から請求項１５のいずれか一項に記載のプログラムであって、
前記通知情報は、前記第１領域に前記情報が表示された後、前記第１領域の少なくとも一部に重畳して前記第２領域に表示される。
【請求項１８】
請求項１７に記載のプログラムであって、
前記通知情報が表示された前記第２領域にのうち、前記端末のユーザによる、前記第１領域に重畳する領域の選択に基づいて、前記情報に対応する処理を前記制御部によって実行することをさらに含む。
【請求項１９】
請求項１７または請求項１８に記載のプログラムであって、
前記通知情報は、前記第２領域のうち、前記第１領域に重畳する領域に対しグラデーション処理される。
【請求項２０】
請求項１２から請求項１９のいずれか一項に記載のプログラムであって、
前記情報が表示された前記第１領域を取得することと、
前記第１領域の取得に基づいて、前記第２領域に前記通知情報を表示することをさらに含む。
【請求項２１】
請求項１２から請求項２０のいずれか一項に記載のプログラムであって、
前記通知情報が表示された前記第２領域に対する前記端末のユーザによる操作に基づいて、前記通知情報に関連するアプリケーションに関する表示をすることをさらに含む。
【請求項２２】
請求項１２から請求項１６のいずれか一項に記載のプログラムであって、
前記第２領域は、前記第１領域の周囲を囲むように前記制御部によって設定される。
【請求項２３】
端末であって、
表示領域のうち、前記端末のユーザによって操作される領域である第１領域に情報を表示し、前記表示領域のうち、前記第１領域の少なくとも一部の領域を内部に含む第２領域に、前記端末のユーザに対して通知する通知情報を表示する表示部と、
前記第１領域に表示された、前記端末のユーザによる前記情報に対する操作に基づいて、前記情報に対応する処理を実行する制御部とを備える。
【手続補正２】
【補正対象書類名】明細書
【補正対象項目名】００４４
【補正方法】変更
【補正の内容】
【００４４】
（変形例１）
図６は、通知制御部１１４により調整された調整済通知情報２１２の他の例を示す図である。ここでは、通知制御部１１４は、図５に示したのと同様、デフォルト通知情報２１０のバックボタン２０２と重なる部分を選択的に除去するとともに、デフォルト通知情報２１０の文字がバックボタン２０２と重ならないように文字の配置位置をずらした調整済通知情報２１２ｂを生成し、バックボタン２０２が調整済通知情報２１２ｂ内に配置されるようにこれらをともにディスプレイ１６０に表示する。
【手続補正３】
【補正対象書類名】明細書
【補正対象項目名】００４６
【補正方法】変更
【補正の内容】
【００４６】
このような構成においても、例えばユーザが調整済通知情報２１４のバックボタン２０２と重なった部分以外の領域を操作すると、操作受付部１１２は、デフォルト通知情報２１０が操作されたのと同様の操作として受け付ける。一方、ユーザがバックボタン２０２部分を操作すると、操作受付部１１２は、調整済通知情報２１４への操作として受け付ける。つまり、図５及び図７に示した例では、デフォルト通知情報２１０の見た目も機能も調整されている。
【手続補正４】
【補正対象書類名】明細書
【補正対象項目名】００５８
【補正方法】変更
【補正の内容】
【００５８】
また、通知制御部１１４は、図１２（ｂ）や図１２（ｃ）に示したように通知情報の表示位置を変えた場合に、変えた位置にも操作可能領域が存在する場合には、通知情報のサイズや形を適宜縮小する等の調整をすることもできる。
【手続補正５】
【補正対象書類名】明細書
【補正対象項目名】００６０
【補正方法】変更
【補正の内容】
【００６０】
図１２（ｄ）はこの例を示す。例えば、図１２（ｄ）に示すように、画面全体に操作可能領域（ボタン２０２ａ〜２０２ｃ．．．）が含まれる場合等、表示画面２００に通知情報を操作可能領域と重ならないように表示する充分なスペースがない場合、通知制御部１１４は、画面を例えば右から左等所定方向に流れる形態の調整済通知情報２２４を表示することもできる。なお、この場合、調整済通知情報２２４はタッチ等の操作をしてもインタラクティブな動作が生じない非操作可能要素とすることもできる。また、通知制御部１１４は、調整済通知情報２２４が流れている間にその背面の画面に存在する操作可能領域を操作した場合、その操作可能領域への操作が有効となるように処理することができる。
【手続補正６】
【補正対象書類名】明細書
【補正対象項目名】００７２
【補正方法】変更
【補正の内容】
【００７２】
次に、本実施形態におけるユーザ端末装置１００の処理手順を説明する。図１４は、本実施形態におけるユーザ端末装置１００の処理手順の一例を示す図である。
【手続補正７】
【補正対象書類名】明細書
【補正対象項目名】００７３
【補正方法】変更
【補正の内容】
【００７３】
ここで、前提として、制御部１０２の制御のもと、表示処理部１１０により現在ディスプレイ１６０に表示されている画面に関する情報が画面情報記憶部１４０に記憶されているものとする。
【手続補正８】
【補正対象書類名】明細書
【補正対象項目名】００７８
【補正方法】変更
【補正の内容】
【００７８】
また、ディスプレイ１６０に表示されている操作可能領域に基づき、ディスプレイ１６０内にデフォルト通知情報２１０として表示すべき内容を表示可能な充分な領域があるか否かを判断し、表示可能な充分な領域がない場合には、通知制御部１１４は、通知情報の表示を保留し、通知情報の内容を表示可能な充分な領域があるか否かの判断を再度行う処理を所定時間くり返す構成とすることができる。図１５は、このような例を示す図である。図１５において図１４と同様の手順には同じステップ番号を付し、適宜説明を省略する。
【手続補正９】
【補正対象書類名】明細書
【補正対象項目名】００７９
【補正方法】変更
【補正の内容】
【００７９】
ステップＳ１０８で操作可能領域が存在する場合（ステップＳ１０８のＹＥＳ）、通知制御部１１４は、通知情報の内容を表示可能な充分な領域があるか否かを判断する（ステップＳ１１０）。通知情報の内容を表示可能な充分な領域がある場合（ステップＳ１１０のＹＥＳ）、通知制御部１１４は、図１４と同様にステップＳ１１２に進み、同様の処理を行う。
【手続補正１０】
【補正対象書類名】明細書
【補正対象項目名】００８０
【補正方法】変更
【補正の内容】
【００８０】
一方、ステップＳ１１０で通知情報の内容を表示可能な充分な領域がない場合（ステップＳ１１０のＮＯ）、通知制御部１１４は、通知情報の通知を保留し（ステップＳ１１８）、ステップＳ１０４に戻り、同様の処理を繰り返す。